(57)【要約】【課題】  項目を指定する際、予め、登録した分類で絞り込んだ項目群から項目を指定可能とするデータベースシステム等を提供する。【解決手段】  サーバ１０１は、ユーザグループ７０１毎に、分類７２１と、分類７２１毎にリンク付けた項目７１１等からなる分類情報８０１を登録し、商品情報データベース３０１に保持する。ユーザ１０４による端末装置１０３から項目の指定を行う際、サーバ１０１は、当該ユーザグループ７０１「消費者」に対する対象構造の分類情報８０１−１を商品情報データベース３０１から読み出し、指定可能な分類リスト７２０と、指定した分類７２１に応じて関連付けた項目７１１に絞り込まれた項目リスト７３０等を提供する。【選択図】  図９
2005092553.tif 000002
【特許請求の範囲】
【請求項１】
登録利用者の端末装置と、サーバと、がネットワークを介して接続されるシステムであって、
前記サーバは、
情報を蓄積するデータベースと、
前記情報を構成する項目の分類を設定し、分類毎に関連付ける１または複数の項目を登録、保持する分類登録手段と、
前記端末装置から前記項目を指定する際、前記分類に応じて、関連付ける項目に絞り込まれた項目群を提供する項目絞り込み手段と、
を具備することを特徴とするデータベースシステム。
【請求項２】
前記分類は、少なくとも、分類の識別情報と、関連付ける項目の識別情報等を含む情報であることを特徴とする請求項１に記載のデータベースシステム。
【請求項３】
前記分類登録手段は、
前記登録利用者のグループ毎に前記分類を登録することを特徴とする請求項１に記載のデータベースシステム。
【請求項４】
前記項目は、前記データベースのレコードに、フィールドに対応して有する情報であることを特徴とする請求項１に記載のデータベースシステム。
【請求項５】
登録利用者の端末装置と、ネットワークを介して接続されるサーバであって、
情報を蓄積するデータベースと、
前記情報を構成する項目の分類を設定し、分類毎に関連付ける１または複数の項目を登録、保持する分類登録手段と、
前記端末装置から前記項目を指定する際、前記分類に応じて、関連付ける項目に絞り込まれた項目群を提供する項目絞り込み手段と、
を具備することを特徴とするサーバ。
【請求項６】
前記分類は、少なくとも、分類の識別情報と、関連付ける項目の識別情報等を含む情報であることを特徴とする請求項５に記載のサーバ。
【請求項７】
前記分類登録手段は、
前記登録利用者のグループ毎に前記分類を登録することを特徴とする請求項５に記載のサーバ。
【請求項８】
前記項目は、前記データベースのレコードに、フィールドに対応して有する情報であることを特徴とする請求項５に記載のサーバ。
【請求項９】
コンピュータを請求項５から請求項８のいずれかに記載のサーバとして機能させるプログラム。
【請求項１０】
コンピュータを請求項５から請求項８のいずれかに記載のサーバとして機能させるプログラムを記録した記録媒体。
【発明の詳細な説明】
【技術分野】
【０００１】
本発明は、ネットワークを利用したデータベースシステムに係り、特にデータベースを検索する際の項目絞り込み機能に関する。
【背景技術】
【０００２】
近年、カタログ制作を行う際、コンピュータの普及に伴い、カタログに載せる商品データをデータベース化して利用することが始まっている。データベースと連携し、デスクトップパブリッシング（ＤＴＰ）等でカタログ制作作業を行い、その効率化が図られてきている。例えば、商品情報等を蓄積したデータベースと、データベースの情報を管理し、データベースの情報の入出力、検索、閲覧等の機能を提供するサーバと複数のユーザ端末装置等からなるデータベースシステムが幾つか存在する（例えば、特許文献１）。
【０００３】
【特許文献１】特開２００１−３０６３７７号公報
【発明の開示】
【発明が解決しようとする課題】
【０００４】
従来のデータベースシステムにおいて、データベース上の（商品）情報を検索する際、項目を指定する場合、全ての項目名が項目一覧やリストボックス等に表示され、その中をスクロールさせながら特定の項目を探し、選択する必要があり、極めて操作性の低い方法で項目を指定していた。更に、データベース上の多量な項目群の中からの選択は、操作担当者に負荷がかかり、選択の誤作業を発生し易かった。
【０００５】
本発明は、以上の点に鑑みてなされたものであり、項目を指定する際、予め、登録した分類で絞り込んだ項目群から項目を指定可能とするデータベースシステム等を提供することを目的とする。
【課題を解決するための手段】
【０００６】
前述した目的を達成するために第１の発明は、登録利用者の端末装置と、サーバと、がネットワークを介して接続されるシステムであって、前記サーバは、情報を蓄積するデータベースと、前記情報を構成する項目の分類を設定し、分類毎に関連付ける１または複数の項目を登録し、保持する分類登録手段と、前記端末装置から項目を指定する際、前記分類に応じて、関連付ける項目に絞り込まれた項目群を提供する項目絞り込み手段と、を具備することを特徴とするデータベースシステムである。
【０００７】
また、前記分類登録手段は、前記登録利用者のグループ毎に前記分類を登録することが望ましい。
【０００８】
第１の発明では、サーバは、情報を蓄積するデータベースを有し、情報を構成する項目の分類を設定し、分類毎に関連付ける１または複数の項目を登録、保持し、端末装置から項目の指定を行う際、分類に応じて、関連付ける項目に絞り込まれた項目群を提供する。
【０００９】
第２の発明は、登録利用者の端末装置と、ネットワークを介して接続されるサーバであって、情報を蓄積するデータベースと、前記情報を構成する項目の分類を設定し、分類毎に関連付ける１または複数の項目を登録し、保持する分類登録手段と、前記端末装置から項目の指定を行う際、前記分類に応じて、関連付ける項目に絞り込まれた項目群を提供する項目絞り込み手段と、を具備することを特徴とするサーバである。
第２の発明は、第１の発明のデータベースシステムで用いられるサーバに関する発明である。
【００１０】
「項目」は、データベースのレコードに、フィールドに対応して有する情報である。
「分類」は、少なくとも、分類の識別情報と、関連付ける項目の識別情報等を含む情報である。分類の識別情報は分類ＩＤ、分類名等である。項目の識別情報は項目ＩＤ、項目名等である。
【００１１】
第３の発明は、コンピュータを第２の発明のサーバとして機能させるプログラムである。
第４の発明は、コンピュータを第２の発明のサーバとして機能させるプログラムを記録した記録媒体である。
【００１２】
上述のプログラムをＣＤ−ＲＯＭ等の記録媒体に保持させて流通させてもよいし、このプログラムを通信回線を介して送受することもできる。
【発明の効果】
【００１３】
本発明は、項目を指定する際、予め、登録した分類で絞り込んだ項目群から項目を指定可能とするデータベースシステム等を提供することができる。
【発明を実施するための最良の形態】
【００１４】
以下に、添付図面を参照しながら、本発明に係るデータベースシステム等の好適な実施形態について詳細に説明する。なお、以下の説明および添付図面において、略同一の機能構成を有する構成要素については、同一の符号を付することにより重複説明を省略することにする。
【００１５】
図１は、本発明の本実施の形態に係るデータベースシステム１００の概略構成を示す図である。
【００１６】
図１に示すように、データベースシステム１００は、サーバ１０１、端末装置１０３等が、ネットワーク１０９を介して接続されて構成される。尚、データベースシステム１００は、ＷＷＷ（Ｗｏｒｌｄ  Ｗｉｄｅ  Ｗｅｂ）技術を用いて実現した場合の構成図である。
【００１７】
ネットワーク１０９は、インターネット、ローカルエリアネットワーク（ＬＡＮ）、社内ＬＡＮ等のネットワークであり、有線、無線を問わない。
【００１８】
サーバ１０１は、サーバコンピュータ等であり、ＷＷＷサーバ１１０、データベース操作手段１１１、データベースサーバ管理手段１１２、データベース管理手段１１３等を有する。データベース操作手段１１１は、ＷＷＷサーバ１１０から呼び出され、商品情報データベース３０１の検索や情報内容の参照、閲覧等を行う。データベースサーバ管理手段１１２は、ユーザ１０４の登録や各種設定（項目分類の登録等）等のシステム運用・管理を行う。データベース管理手段１１３は、データベースエンジン等であり、データベースへの検索、参照、登録、削除等の各種要求に対する該当処理を行う。
【００１９】
ユーザ１０４は、商品情報データベース３０１を利用する、予め、サーバ１０１に登録した利用者であり、端末装置１０３を有する。端末装置１０３には、ＷＷＷブラウザ１２０が搭載される。端末装置１０３は、ＷＷＷブラウザ１２０を介して、サーバ１０１のＷＷＷサーバ１１０にアクセスし、商品情報データベース３０１の操作要求、入力情報等を送信し、商品情報データベース３０１から取得した情報等を受信する。尚、端末装置１０３は、パーソナルコンピュータ、携帯情報端末（Ｐｅｒｓｏｎａｌ  Ｄｉｇｉｔａｌ  Ａｓｓｉｓｔａｎｔ）等である。
サーバ管理者１０５は、データベースシステム１００の運用・管理等を行う管理者であり、端末装置１０３を有する。端末装置１０３は、ＷＷＷブラウザ１２０を介して、サーバ１０１のＷＷＷサーバ１１０にアクセスし、データベースサーバ管理手段１１２を起動し、ユーザ１０４の登録や各種設定（項目分類の登録等）等の要求を送信し、運用・管理情報等を受信する。
【００２０】
次に、サーバ１０１のハードウェア構成を説明する。図２は、サーバ１０１のハードウェア構成図である。
【００２１】
図２に示すように、サーバ１０１は、制御部２０１、記憶装置２０２（ハードディスク）、メディア入出力部２０３（ＣＤ−ＲＯＭ）、通信制御部２０４（通信制御装置、通信ポート等）、入力部２０５（キーボード、マウス等）、印刷部２０６（プリンタ）、表示部２０７（ディスプレイ）等が、バス２０９を介して接続される。
【００２２】
制御部２０１は、ＣＰＵ、ＲＯＭ、ＲＡＭ等で構成され、大容量記憶媒体としての記憶装置２０２に格納されたプログラムに従って、バス２０９を介して接続された各装置を駆動制御する。
【００２３】
記憶装置２０２には、各構成部分を駆動制御する制御プログラム３１１、アプリケーションプログラム３１２、及び商品情報データベース３０１等が格納されている。
【００２４】
これらの各プログラムコードは、制御部２０１により必要に応じて読み出されてＲＡＭに移され、ＣＰＵに読み出されて各種の手段として実行される。
【００２５】
メディア入出力部２０３（ＣＤ−ＲＯＭドライブ装置）は、制御部２０１のＲＯＭや記憶装置２０２に記憶されているプログラムや情報をバージョンアップ、機器設定等の設定を行う際に用いられる。
【００２６】
通信制御部２０４は、通信制御装置、通信ポート等であり、ネットワーク１０９を介して、サーバ１０１と、端末装置１０３間の通信制御を行う。
【００２７】
入力部２０５は、キーボード、マウス等であり、表示部２０７（ディスプレイ）に表示された操作案内、各種処理、操作を行う。
印刷部２０６は、プリンタであり、印刷出力処理を行う。
【００２８】
次に、記憶装置２０２におけるデータベースシステム関連のファイル配置について説明する。図３は、記憶装置２０２におけるデータベースシステム関連のファイル配置を示す。図３に示すように、記憶装置２０２内には、商品情報データベース３０１、及び制御プログラム３１１、アプリケーションプログラム３１２等が格納されている。
【００２９】
商品情報データベース３０１には、商品情報等を蓄積する。商品情報データベース３０１には、構造毎に、ユーザグループ７０１毎の分類情報８０１を格納する。分類情報８０１については、後述、説明する。
尚、サーバ１０１が管理する商品情報データベース３０１は、必要に応じて、複数存在してもよい。
【００３０】
制御プログラム３１１は、サーバ１０１の各構成部分を駆動制御するプログラムである。
アプリケーションプログラム３１２は、実行可能プログラムであり、ＷＷＷサーバ１１０、データベース操作手段１１１、データベースサーバ管理手段１１２、データベース管理手段１１３等に該当するプログラムである。
【００３１】
次に、端末装置１０３のハードウェア構成を説明する。図４は、端末装置１０３のハードウェア構成図である。
【００３２】
図４に示すように、端末装置１０３は、制御部４０１、記憶装置４０２（ハードディスク、外部メモリ）、メディア入出力部４０３（ＣＤ−ＲＯＭ）、通信制御部４０４（通信制御装置、通信ポート等）、入力部４０５（キーボード、マウス等）、印刷部４０６（プリンタ）、表示部４０７（ディスプレイ）等が、バス４０９を介して接続される。
【００３３】
制御部４０１は、ＣＰＵ、ＲＯＭ、ＲＡＭ等で構成され、大容量記憶媒体としての記憶装置４０２に格納されたプログラムに従って、バス４０９を介して接続された各装置を駆動制御する。
【００３４】
記憶装置４０２（ハードディスク）には、各構成部分を駆動制御するプログラム、ＷＷＷブラウザ１２０等のアプリケーションプログラム等が格納されている。
【００３５】
これらの各プログラムコードは、制御部４０１により必要に応じて読み出されてＲＡＭに移され、ＣＰＵに読み出されて各種の手段として実行される。
【００３６】
メディア入出力部４０３（ＣＤ−ＲＯＭドライブ装置）は、制御部４０１のＲＯＭや記憶装置４０２に記憶されているプログラムや情報をバージョンアップ、機器設定等の設定を行う際に用いられる。
【００３７】
通信制御部４０４は、通信制御装置、通信ポート等であり、ネットワーク１０９を介して、端末装置１０３と、サーバ１０１間の通信制御を行う。
【００３８】
入力部４０５は、キーボード、マウス等であり、表示部４０７（ディスプレイ）に表示された操作案内、各種処理、操作を行う。
印刷部４０６は、プリンタであり、印刷出力処理を行う。
【００３９】
次に、データベースシステム１００の項目分類の登録処理について説明する。図５は、データベースシステム１００の項目分類登録の処理手順を示すフローチャートである。
【００４０】
図５に示すように、端末装置１０３の制御部４０１は、サーバ管理者１０５より、サーバ１０１にログインし、サーバ管理用のアプリケーションにて、項目分類登録要求を行う（ステップ５０１）。
【００４１】
サーバ１０１の制御部２０１は、起動されたデータベースサーバ管理手段１１２により、項目分類登録画面データを送信する（ステップ５０２）。尚、端末装置１０３とサーバ１０１との間でのデータの送受信は、ＷＷＷブラウザ１２０とＷＷＷサーバ１１０を介して行われる。
【００４２】
端末装置１０３の制御部４０１は、項目分類登録画面７００を表示する（ステップ５０３）。図７は、項目分類登録画面７００を示す。
図７に示すように、項目分類登録画面７００には、対象となるユーザグループ７０１、当該ユーザグループ７０１に対して接続する商品情報データベース３０１、構造名７０３、項目一覧７１０、分類リスト７２０、分類の項目リスト７３０、各種制御ボタン群７４０等からなる。項目一覧７１０は、構造７０３毎の全項目７１１からなる。分類リスト７２０は、登録した項目の分類７２１と、新しく登録する為の分類「新しい分類」７２２等からなる。分類の項目リスト７３０は、選択された分類７２１に関連付ける構造７０３・項目７１１等からなる。
【００４３】
サーバ管理者１０５は、対象となるユーザグループ７０１に対して、接続する商品情報データベース３０１の構造７０３毎に項目の分類７２１の分類名を指定し、項目一覧７１０より項目７１１を選択し、分類７２１にリンク付けを行う分類の項目リスト７３０に登録する（ステップ５０４）。
例えば、ユーザグループ７０１「消費者」に接続している商品情報データベース３０１「商品情報（１万件）」の構造７０３「親商品」に対して、分類「新しい分類」７２２を用いて、分類７２１、「名称」、「価格」等の分類名を指定する。指定した分類７２１「名称」に、項目一覧７１０より、リンク付ける項目７１１「メディア名」、「品名」、…等を選択し、分類の項目リスト７３０に設定する。
【００４４】
制御部４０１は、設定した分類名と、その分類７２１にリンク付けた項目７１１等からなる分類の項目リスト７３０の登録要求を行う（ステップ５０５）。サーバ１０１の制御部２０１は、ユーザグループ７０１毎に、分類名等を含む分類７２１と、分類７２１毎にリンク付けした項目７１１等からなる分類情報８０１を登録し、当該商品情報データベース３０１に保持する（ステップ５０６）。
【００４５】
図８は、分類情報８０１の形式を示す。図８に示すように、商品情報データベース３０１の構造７０３毎に、複数の分類情報８０１−１、８０１−２、…等を有する。各分類情報８０１は、ユーザグループ７０１、１つ以上の分類７２１、分類７２１毎にリンク付けした項目７１１等からなる。ユーザグループ７０１は、ユーザグループ名、識別ＩＤ等のユーザグループ識別情報である。分類７２１は、分類名、分類ＩＤ等の分類識別情報である。項目７１１は、項目名、項目ＩＤ等の項目識別情報である。
例えば、分類情報８０１−１は、ユーザグループ７０１「消費者」と、登録された分類７２１「名称」、「価格」等と、分類７２１「名称」にリンク付けられる項目７１１「メディア名」、「品名」、「品名（フリガナ）」、「品名（英字）」等と、分類７２１「価格」にリンク付けられる項目７１１「標準価格」、「割引価格」等からなる。
【００４６】
次に、データベースシステム１００の項目分類の指定処理について説明する。図６は、データベースシステム１００の項目分類指定の処理手順を示すフローチャートである。図９は、ユーザグループ「消費者」のユーザ１０４に対する項目指定の処理の流れを示す。
【００４７】
図６に示すように、端末装置１０３の制御部４０１は、ユーザ１０４により、サーバ１０１にアクセスし、ログインする（ステップ６０１）。
例えば、ユーザグループ「消費者」のユーザ１０４が、端末装置１０３からログインする。
【００４８】
ユーザ１０４は端末装置１０３のＷＷＷブラウザ１２０からサーバ１０１のＵＲＬを指定してサーバ１０１にアクセスし、サーバ１０１の制御部２０１は、ＷＷＷサーバ１１０を介して、ログイン画面データを端末装置１０３に送信する。制御部４０１は、ＷＷＷブラウザ１２０を介して、受け取ったログイン画面（図示せず）を表示し、入力されたユーザＩＤ、パスワード等をサーバ１０１に送信する。
【００４９】
サーバ１０１の制御部２０１は、ＷＷＷサーバ１１０を介して、ユーザＩＤ、パスワード等を受け取り、ユーザ認証を行う（ステップ６０２）。
【００５０】
制御部２０１は、正しくユーザ認証された場合、制御部２０１は、ユーザ１０４が商品情報データベース３０１に対する検索、閲覧等を行う操作画面データを端末装置１０３に送信する（ステップ６０３）。端末装置１０３の制御部４０１は、受け取った操作画面を表示する（ステップ６０４）。
【００５１】
図９に示すように、ユーザ１０４は、項目７１１を指定する際、分類７２１で絞り込みを行う場合、操作画面上の項目指定画面９１０の「表示分類」９１１をクリックし、制御部４０１は、項目分類表示要求を行う（ステップ６０５）。
【００５２】
サーバ１０１の制御部２０１は、当該ユーザグループ７０１に対する接続する商品情報データベース３０１から対象構造の分類情報８０１のデータを読み出し、指定可能な分類７２１を示す分類リストデータを送信する（ステップ６０６）。
例えば、図９に示すように、ログインしたユーザ１０４がユーザグループ７０１「消費者」の場合、制御部２０１は、記憶装置２０２の当該商品情報データベース３０１から、ユーザグループ７０１「消費者」に対する分類情報８０１−１を読み出す。ユーザグループ７０１「消費者」の分類情報８０１−１は、登録された分類７２１「名称」、「価格」等と、分類７２１「名称」にリンク付けられる項目７１１「メディア名」、「品名」、「品名（フリガナ）」、「品名（英字）」等と、分類７２１「価格」にリンク付けられる項目７１１「標準価格」、「割引価格」等からなる。制御部２０１は、分類７２１「名称」、「価格」等からなる分類リストデータを送信する。
【００５３】
制御部４０１は、受け取った分類リスト７２０を項目指定画面９１０上に表示する（ステップ６０７）。
例えば、図９に示すように、項目指定画面９１０上に、ユーザグループ７０１「消費者」に対して、当該商品情報データベース３０１の構造７０３に登録した分類７２１「価格」、「名称」等からなる分類リスト７２０が、表示される。
【００５４】
ユーザ１０４が分類７２１を選択すると、制御部４０１は、選択された分類７２１にリンク付けられる項目要求を行う（ステップ６０８）。
例えば、図９に示すように、項目指定画面９１０の分類リスト７２０から分類７２１「価格」または「名称」を選択する。
【００５５】
サーバ１０１の制御部２０１は、商品情報データベース３０１から、受け取った分類７２１にリンク付ける項目リストデータを送信する（ステップ６０９）。
端末装置１０３の制御部４０１は、受け取った分類の項目リスト７３０を表示し（ステップ６１０）、ユーザ１０４は、分類の項目リスト７３０から、項目７１１を選択し、検索、閲覧等の操作を行う（ステップ６１１）。
【００５６】
例えば、図９に示すように、情報検索時の検索条件指定画面９２０で、分類７２１に「価格」を指定すると、分類の項目リスト７３０には、ユーザグループ７０１「消費者」の分類７２１「価格」にリンク付けた項目７１１「標準価格」、「割引価格」等のみが表示される。ユーザ１０４は、この分類の項目リスト７３０から項目７２１を選択し、制御部２０１は、当該検索条件に応じた、情報検索を行う。
【００５７】
また、一覧表示する際の表示項目指定画面９３０で、分類７２１に「名称」を指定すると、分類の項目リスト７３０には、ユーザグループ７０１「消費者」の分類７２１「名称」にリンク付けた項目７１１「メディア名」、「品名」、「品名（フリガナ）」、「品名（英字）」等のみが表示される。ユーザ１０４は、この分類の項目リスト７３０から項目７２１を選択し、表示項目の１つとして設定し、表示項目を設定し、制御部２０１は、当該表示項目に応じた一覧表示を行う。
【００５８】
次に、ユーザグループ「メンテナンス作業」のユーザ１０４が端末装置１０３からログインした場合の、項目指定の処理の流れを説明する。図１０は、ユーザグループ「メンテナンス作業」のユーザ１０４に対する項目指定の処理の流れを示す。
【００５９】
図１０に示すように、例えば、ログインしたユーザ１０４がユーザグループ７０１「メンテナンス作業」の場合、サーバ１０１の制御部２０１は、端末装置１０３からの項目分類表示要求に対して、記憶装置２０２の当該商品情報データベース３０１から、ユーザグループ７０１「メンテナンス作業」に対する分類情報８０１−２を読み出す。
【００６０】
ユーザグループ７０１「メンテナンス作業」の分類情報８０１−２は、登録された分類７２１「コード番号」、「価格」等と、分類７２１「コード番号」にリンク付けられる項目７１１「商品コード」、「子商品コード」、「特別商品連番」、「注文コード」、「掲載コード」等と、分類７２１「価格」にリンク付けられる項目７１１「価格ランク」、「割引価格」、「最低価格」、「標準価格」等からなる。
【００６１】
端末装置１０３の制御部４０１は、項目指定画面９１０上に、当該商品情報データベース３０１の構造７０３に登録した分類７２１「コード番号」、「価格」等からなる分類リスト７２０を表示する。
【００６２】
情報検索時の検索条件指定画面９２０で、分類７２１に「価格」を指定すると、分類の項目リスト７３０には、ユーザグループ７０１「消費者」の分類７２１「価格」にリンク付けた項目７１１「価格ランク」、「割引価格」、「最低価格」、「標準価格」等のみが表示される。ユーザ１０４は、この分類の項目リスト７３０から項目７２１を選択し、制御部２０１は、当該検索条件に応じた、情報検索を行う。
【００６３】
また、一覧表示する際の表示項目指定画面９３０で、分類７２１に「コード番号」を指定すると、分類の項目リスト７３０には、ユーザグループ７０１「消費者」の分類７２１「コード番号」にリンク付けた項目７１１「商品コード」、「子商品コード」、「特別商品連番」、「注文コード」、「掲載コード」等のみが表示される。ユーザ１０４は、この分類の項目リスト７３０から項目７２１を選択し、表示項目を設定し、制御部２０１は、当該表示項目に応じた一覧表示を行う。
【００６４】
図８、図９に示すように、ユーザグループ「消費者」の分類７２１「価格」と、ユーザグループ「メンテナンス作業」の分類７２１「価格」は、ユーザグループ７０１によって、同じ分類名であっても、リンク付ける項目７１１は異なる。
【００６５】
以上説明したように、本発明の実施の形態によれば、サーバ１０１は、ユーザグループ７０１毎に、分類７２１と、分類７２１毎にリンク付けした項目７１１等からなる分類情報８０１−１、８０１−２、…を登録し、商品情報データベース３０１に保持し、ユーザ１０４による端末装置１０３から項目の指定を行う際、当該ユーザグループ７０１に対する対象構造の分類情報８０１のデータを商品情報データベース３０１から読み出し、指定可能な分類７２１に応じて、関連付けた項目７１１に絞り込まれた項目群を提供する。
【００６６】
これにより、ユーザ１０４がデータベース上の情報を検索する際の項目を指定する操作性が向上し、多量な項目群からの選択を容易にすると共に、選択の誤作業を削減する。
【００６７】
尚、分類情報８０１の形式は、本実施の形態に示す形式に限定するものではない。一定のフォーマットを定めたものであればよい。
【００６８】
また、本実施の形態では、データベースとして商品情報等を蓄積する商品情報データベース３０１を用いたが、商品情報等に限るものではない。
【００６９】
また、本実施の形態では、ＷＷＷ技術を用いて実現したが、端末装置１０３に専用のユーザプログラムを備えることにより、ＷＷＷ技術を用いずに実現することも可能である。
【００７０】
尚、図５、図６等に示す処理を行うプログラムはＣＤ−ＲＯＭ等の記録媒体に保持させて流通させてもよいし、このプログラムを通信回線を介して送受することもできる。
【００７１】
以上、添付図面を参照しながら、本発明に係るデータベースシステム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００７２】
【図１】本実施の形態に係るデータベースシステム１００の概略構成を示す図
【図２】サーバ１０１のハードウェア構成図
【図３】記憶装置２０２におけるデータベースシステム関連ファイルを示す図
【図４】端末装置１０３のハードウェア構成図
【図５】データベースシステム１００の項目分類登録の処理手順を示すフローチャート
【図６】データベースシステム１００の項目分類指定の処理手順を示すフローチャート
【図７】項目分類登録画面７００を示す図
【図８】分類情報８０１の形式を示す図
【図９】ユーザグループ「消費者」のユーザ１０４に対する項目指定の処理の流れを示す図
【図１０】ユーザグループ「メンテナンス作業」のユーザ１０４に対する項目指定の処理の流れを示す図
【符号の説明】
【００７３】
１００………データベースシステム
１０１………サーバ
１０３………端末装置
１０４………ユーザ
１０５………サーバ管理者
１０９………ネットワーク
１１０………ＷＷＷサーバ
１１１………データベース操作手段
１１２………データベースサーバ管理手段
１１３………データベース管理手段
１２０………ＷＷＷブラウザ
２０１、４０１………制御部
２０２、４０２………記憶装置
３０１………商品情報データベース
８０１………分類情報
８１１………項目
８２１………分類
【図１】
2005092553.tif 000003
【図２】
2005092553.tif 000004
【図３】
2005092553.tif 000005
【図４】
2005092553.tif 000006
【図５】
2005092553.tif 000007
【図６】
2005092553.tif 000008
【図７】
2005092553.tif 000009
【図８】
2005092553.tif 000010
【図９】
2005092553.tif 000011
【図１０】
2005092553.tif 000012